(57)【特許請求の範囲】
【請求項１】
縦方向に前胴周り域と、後胴周り域と、これら両域間に位置する股下域とを有し、前記後胴周り域の両側に前記縦方向と交差する胴周り方向へ延びた翼部を有し、前記翼部には前記胴周り方向の外方へ延出するファスナ部が形成され、前記ファスナ部がその内面を内側にして前記胴周り方向へ折曲されることによって、前記ファスナ部内面に、取り付けられたメカニカルファスナの雄部材が前記翼部の内面に当接している使い捨ておむつの製造方法において、
前記翼部は、内面と外面とのうちの少なくとも前記内面が不織布によって形成され、前記雄部材が当接している部位において前記外面から内面へ向かって前記不織布を局部的に押圧して、前記不織布を構成している繊維のうちの一部のものを前記雄部材へ向かって隆起させて、前記雄部材を形成している多数のフックのうちの一部のものにだけ離脱可能に係合させることを特徴とする前記製造方法。
【請求項２】
前記不織布を局部的に押圧する工程が前記不織布を部分的に加熱しながら進められる請求項１記載の製造方法。
【発明の詳細な説明】
【０００１】
【発明の属する技術分野】
この発明は、使い捨ておむつの製造方法に関する。
【０００２】
【従来の技術】
従来、後胴周り域に不織布からなる翼部を有する使い捨ておむつはよく知られている。翼部には、前後胴周り域を連結するためのファスナ部が形成される。ファスナ部は、その内面に粘着域またはメカニカルファスナの雄部材を有し、これら粘着域や雄部材が前胴周り域に剥離可能に止着されることによって、前後胴周り域が連結される。
【０００３】
【発明が解決しようとする課題】
このファスナ部が翼部の外側縁部から胴周り方向外方へ突出するものである場合には、その突出部がおむつの製造から着用に至るまでの間に邪魔になることがないように、翼部内面に折り重ねられ、剥離可能に止着されていることが好ましい。しかし、メカニカルファスナの雄部材を使用する場合には、この雄部材を翼部内面の不織布に止着しても十分な剥離強さが得られず、おむつの取り扱い過程において、雄部材が翼部から剥離してしまうということがある。
【０００４】
そこで、この発明が課題とするところは、雄部材が取り付けられたファスナ部を翼部内面に確実かつ剥離容易に止着する方法の提供とその方法によって得られる使い捨ておむつの提供にある。
【０００５】
【課題を解決するための手段】
前記課題解決のために、この発明が対象とするのは、使い捨ておむつの製造方法である。
【０００８】
この発明が対象とする前記おむつの製造方法とは、縦方向に前胴周り域と、後胴周り域と、これら両域間に位置する股下域とを有し、前記後胴周り域の両側に前記縦方向と交差する胴周り方向へ延びた翼部を有し、前記翼部には前記胴周り方向の外方へ延出するファスナ部が形成され、前記ファスナ部がその内面を内側にして前記胴周り方向へ折曲されることによって、前記ファスナ部内面に取り付けられたメカニカルファスナの雄部材が前記翼部の内面に当接している使い捨ておむつの製造方法である。
【０００９】
かかる製造方法においてこの発明が特徴とするところは、次のとおりである。前記翼部は、内面と外面とのうちの少なくとも前記内面が不織布によって形成され、前記雄部材が当接している部位において前記外面から内面へ向かって前記不織布を局部的に押圧して、前記不織布を構成している繊維のうちの一部のものを前記雄部材へ向かって隆起させて、前記雄部材を形成している多数のフックのうちの一部のものにだけ離脱可能に係合させる。
【００１０】
【発明の実施の形態】
添付の図面を参照し、この発明に係る使い捨ておむつの詳細を説明すると、以下のとおりである。
【００１１】
図１、２は、おむつ１の内面側を示す部分破断平面図と、おむつ１の外面側を示す平面図である。おむつ１は、透液性表面シート２と、不透液性裏面シート３と、これら両シート２，３間に介在する吸液性コア４とを有する。おむつ１の縦方向（図の上下方向）には、前胴周り域６と、後胴周り域７と、これら両域６，７間に位置する股下域８とが形成されている。前後胴周り域６，７の各側部には、おむつ１の胴周り方向外方へ延びる前方翼部１１と、後方翼部１２とが形成されている。後胴周り域７の端縁部では、複数条の胴周り弾性部材１４が胴周り方向へ延びている。股下域８では、複数条の脚周り弾性部材１６が縦方向へ延びている。これら両弾性部材１４，１６は、表裏面シート２と３との間、またはこれらシート２，３に接合して側方へ延びるシートとシートとの間にあって、伸長状態でこれらシートのいずれかに接合している。
【００１２】
おむつ１内面側の両側部縦方向には、帯状のバリアカフ１３が延びている。バリアカフ１３は、外側縁部１３ｂと縦方向両端部とがおむつ１の内面に固定されているが、内側縁部１３ａはおむつ１の内面に固定されておらず、縦方向へ延びる支持弾性部材１７を挟むようにして袋状に折り重ねられている。支持弾性部材１７は、伸長状態にあり、バリアカフ１３の内面のうちの少なくとも縦方向両端部のそれに接合しており、おむつ１が着用状態にあるときには、収縮してバリアカフ１３をおむつ１内面の上方へ向かって起立させる。かかるバリアカフ１３は、おむつ１の内側へ向かって開口する体液漏れ防止用のポケット（図示せず）を形成することができる。
【００１３】
後方翼部１２の各側縁部には、翼部１２を部分的に胴周り方向へ突出させることによってファスナ部２１が図の上下に一つずつ形成されている。ファスナ部２１の内面には、メカニカルファスナの雄部材２２がファスナ部２１を縦断するように取り付けられている。図１において、左方のファスナ部２１は翼部１２の内面に折り重ねた状態で示され、右方のファスナ２１は、翼部２１から胴周り方向外方へ延びた状態で示されている。また、図２において、ファスナ部２１はいずれも内面に折り重ねられている。これらのファスナ部２１は、前胴周り域６の外面に取りつけられたメカニカルファスナの雌部材２３の適宜の位置に取り外し可能に固定することができ、その固定によって前後胴周り域６，７が互いに連結される。
【００１４】
図３は図１のＩＩＩ−ＩＩＩ線断面である。後方翼部１２とそれから延出するファスナ部２１とは、熱可塑性合成繊維５１からなる不織布で形成されている。メカニカルファスナの雄部材２２は、ベースプレート２２ａとプレート２２ａから図の下方へ向かって林立する多数のフック２２ｂとを有し、接着剤５２によってファスナ部２１の内面に固定されている。ファスナ部２１が後方翼部１２の内面側へ折曲された状態にあるときに、フック２２ｂの先端が翼部１２の内面に当接している。後方翼部１２は、多数のフック２２ｂが当接する部位の外面から内面へ向かって（図の下から上へ向かって）局部的に押圧された部分５３を有する。部分５３では、押圧されることによって繊維５１が外面から内面へ向かう方向へ隆起して、部分５３の直上に位置するフック２２ｂにのみ選択的に係合している。かかる係合によって、折曲されたファスナ部２１がその折曲された状態を維持している。部分５３は、多数のフック２２ｂが当接する部位において少なくとも１つ、より好ましくは、少なくとも５ｍｍの間隔をあけて複数形成されて、ファスナ部２１が翼部１２から簡単には剥離することがないように作用している。ファスナ部２１を翼部１２から剥離するには、ファスナ部２１の先端部分を摘まんで矢印Ｐ方向へ引き上げ、フック２２ｂと繊維５１との係合を外解けばよい。
【００１５】
後方翼部１２において部分５３を形成するには、折曲されたファスナ部２１に図の上方からプレート５４を当て、直径０．２〜２．５ｍｍ程度のピン５６を矢印Ｑで示されるように図の下方から、翼部１２の外面に押し当てればよい（図２を併せて参照）。フック２２ｂと繊維５１との係合を強くしたいときには、繊維５１が軟化また溶融する温度にまでピン５６を加熱しておくことが好ましい。互いに隣接する部分５３と５３との中心間距離は少なくとも５ｍｍ、より好ましくは７〜１３ｍｍである。
【００１６】
このように形成されたファスナ部２１と後方翼部１２とが係合している強さ、換言するとファスナ部２１を翼部１２から剥離するときに必要な力の大きさは、繊維５１が隆起している部分５３を増減することによって調整できる。
【００１７】
図示例のおむつ１において、前方翼部１１と股下域８の側部とは、後方翼部１２と同様に不織布で形成されている。不織布の繊維５１には、例えばポリプロピレン繊維、ポリプロピレンを芯としてポリエチレンを鞘とする捲縮した複合繊維等各種の熱可塑性合成繊維を坪量３０〜２００ｇ／ｍ２の範囲で使用することができる。ファスナ部２１を繊維５１と係合させて、ファスナ部２１の折曲状態を確実に維持することができるこの発明は、比較的大きなファスナ部２１を使用する大人用の使い捨ておむつにおいて実施した場合に顕著な効果を奏する。
【００１８】
この発明は、図示例の他に、後胴周り域７を前胴周り域６に代えて、また前胴周り域６を後胴周り域７に代えて実施することもできる。
【００１９】
【発明の効果】
この発明に係る使い捨ておむつの後方翼部から胴周り方向へ延出するファスナ部は、翼部内面側へ折曲された後、翼部において外面側から内面側へ向かう方向へ局部的に隆起している部位の繊維のみがファスナ部の雄部材の一部と選択的に係合するので、ファスナ部は、その折曲された状態を確実に維持することができるとともに、ファスナ部と翼部とが係合する強さは、翼部の隆起している部位の数を増減することによって調整することができる。
【図面の簡単な説明】
【図１】  おむつの内面側を示す部分破断平面図。
【図２】  おむつの外面側を示す平面図。
【図３】  図１のＩＩＩ−ＩＩＩ線断面図。
【符号の説明】
１    おむつ
２    表面シート
３    裏面シート
４    コア
６    前胴周り域
７    後胴周り域
８    股下域
１２    翼部（後方翼部）
２１    ファスナ部
２２    雄部材
２２ｂ    フック
【図１】
0003781950.tif 000002
【図２】
0003781950.tif 000003
【図３】
0003781950.tif 000004